(57)【要約】【課題】本考案は、メモリーカード本体およびパソコン周辺機器を含む折畳み増設できるメモリー構造である。【解決手段】本考案は、メモリーカード本体およびパソコン周辺機器で構成される。メモリーカード本体とパソコン周辺機器（例えば、デジタルカメラ、デジタルビデオカメラ、ＧＰＫＳ、ＧＰＳ、ＭＰ３、または通信設備等）は、メモリーカード本体に設けられた支軸に接続されている。パソコン周辺機器は、メモリーカード本体とパソコン信号を連結する。パソコン周辺機器は、支軸により、メモリーカード本体に対して、適当角度まで回転し、狭い空間における使用が便利にする。パソコン周辺機器とメモリーカードとの間には、簡単に分解し、または組立てることが出来、パソコン周辺機器を交換する機能性を備えている。【選択図】　図１
0003097440.tif 000002
【実用新案登録請求の範囲】
【請求項１】
一方の側には、パソコン増設溝中に挿入した後、パソコン信号を伝達する導通チップが設けられてあり、別の側には、支軸を配し、その支軸の面上に、若干の導通端子が配設され、該軸の両端に凸点を配したメモリーカード本体と、両側に前記支軸の両端に設けた凸点と対応し、前記凸点を嵌入する位置固定溝を設けるとともに、前記導通端子と対応するスプリング・リーフが布設されたパソコン周辺機器とから成り、パソコン周辺機器とメモリーカード本体を、前記凸点を位置固定溝内に嵌入し、スプリング・リーフは、導電端子上に接触させ、パソコン周辺機器は支軸を軸心として、メモリーカード本体に対して、角度を回転させできるよう取り付けて成ることを特徴とするパソコン周辺機器を折畳み増設できるように連結したメモリーカード本体。
【考案の詳細な説明】
【０００１】
【考案の属する技術分野】
本考案「パソコン周辺機器を折畳み増設できるように連結したメモリーカード本体」は、特に一種のパソコン周辺機器を増設できるメモリーカード本体に関する。本考案は、パソコン周辺機器を、メモリーカード本体に対して、適当角度まで回転させて、狭い空間における使用を便利にする。メモリーカード本件とパソコン周辺機器との間には、簡単に分解し、または組立てることができる、パソコン周辺機器を交換する機能性を備えている。
【０００２】
【従来の技術】
メモリーカード本体は、パソコン（図示しない）においてきわめて汎用されている。例えば、パソコン周辺機器等の保存、接続である。現在、市場で販売されている周辺機器に関連する折畳み増設メモリーカード本体はない。これまでのパソコン周辺機器とメモリーカード本体は一体成形している。パソコン周辺機器は、メモリーカード本体とパソコンの接続を利用して信号の伝送を行っている。
これまでのメモリーカード本体の構造は、パソコン周辺機器とメモリーカード本体が一体成形されているので、周辺機器増設メモリーカード本体の構造はパソコンに接続する時、パソコン周辺機器がパソコンに対する角度は、調整できず、パソコン周りの空間が不足の時、パソコン周辺機器の取付けに不便を来たすこととなる。
また、従来の周辺機器増設メモリーカード本体の構造は、その一体成形の設計構造により、パソコン周辺機器ごとに、一枚のメモリーカード本体がある。このやり方は、コスト上の増加を引き起こすこととなる。仮に、消費者がデジタルビデオカメラおよびＭＰ３を使用したい場合、購入すると同時に、ビデオカメラとＭＰ３のメモリーカードとのコストを負担しなければならない。この結構設計は、経済効果に合わない。
【０００３】
【考案が解決しようとする課題】
メモリーカード本体およびパソコン周辺機器によって構成されて、折畳み出来る結構および取り外し出来る設計を兼ねた周辺機器増設メモリーカード構造を提案するのは、本考案の目的である。メモリーカード本体とパソコン周辺機器（例えば、デジタルカメラ、デジタルビデオカメラ、ＧＰＫＳ、ＧＰＳ、ＭＰ３または通信設備等）は、メモリーカード本体上に設けられた支軸によって接続する。パソコン周辺機器は、メモリーカード本体とパソコン信号を連結する。パソコン周辺機器は、メモリーカード本体に対して、支軸により、適当角度まで回転することが出来、狭い空間での使用が便利にする。また、パソコン周辺機器とメモリーカードとの間に簡単に分解し、または組立てることが出来、パソコン周辺機器に交換する機能性を備えている。
これに鑑み、本考案者は、研究設計を加えて、一種の折畳み出来る構造で取り外し式設計の周辺機器増設メモリーカード構造を設計して、従来周辺機器増設メモリーカード構造設計上の欠陥がもたらす不便を改善する設計が出来ることを成功した。
【０００４】
【課題を解決するための手段】
一方の側には、パソコン増設溝中に挿入した後、パソコン信号を伝達する導通チップが設けられてあり、別の側には、支軸を配し、その支軸の面上に、若干の導通端子が配設され、該軸の両端に凸点を配したメモリーカード本体と、両側に前記支軸の両端に設けた凸点と対応し、前記凸点を嵌入する位置固定溝を設けるとともに、前記導通端子と対応するスプリング・リーフが布設されたパソコン周辺機器とから成り、パソコン周辺機器とメモリーカード本体を、前記凸点を位置固定溝内に嵌入し、スプリング・リーフは、導電端子上に接触させ、パソコン周辺機器は支軸を軸心として、メモリーカード本体に対して、角度を回転させできるよう取り付けて成るパソコン周辺機器を折畳み増設できるように連結したメモリーカード本体。
【０００５】
【考案の実施の形態】
本考案は、図１に示すように、スプリング・リーフ２３と位置固定溝２２を備えたパソコン周辺機器２０と、前記パソコン周辺機器２０に配したスプリング・リーフ、並に、位置固定溝２２と接続する凸点、スプリングリーフと接続する導通端子１３及び導通チップ１１を配したメモリーカード本体１０から構成される。前記したパソコン周辺機器２０とメモリーカード本体を連結させるには、メモリーカード本体１０に配した支軸１２の凸点１４とパソコン周辺機器２０に配した軸溝２１に嵌入し、メモリーカード本体に配した凸点１４をパソコン周辺機器２０に配した位置固定溝２２内に合わせ、スプリング・リーフ２３は、導通端子１３の上に接触させて、組付完成となる。
上記の要領で連結したパソコン周辺機器２０とメモリーカード１０とは、図２および３図に示すように、パソコン周辺機器２０は、支軸１２を軸心とし、メモリーカード本体１０に対して多種角度の変化をすることが出来る（総回転は、約２７０度が出来る）。回転過程中は、スプリング・リーフ２３は導通端子１３に接触させたので、接触不良が発生しない。この角度を調整出来る特性は、本考案をパソコンに接続する時、現場に適切な角度位置に調整することが出来、パソコン周辺機器２０とパソコン周りの物件干渋を避け、良好な便利性を具えている。そして、本考案は、パソコン周辺機器とメモリーカードを分離し、または組付け出来る設計を採用している。製造工程上の不良率の低減および生産のリスクの低減が出来るほか、消費者に対して、多目的メモリーカードおよびパソコンに接続できる同じ規格を持つ周辺機器を購入する際には、単一メモリーカード本体２０および必要とする同じ規格を持つパソコン周辺機器を購入するだけでよい。また、ニーズに合わせて、パソコン周辺機器を交換するも可能である。利便性および低コストの特性を具え、比較的に競争優勢がある。
【０００６】
【実施例】
本考案のほかの目的と詳細は、以下の説明で、より明確となり、同時に、付属各図を参照すれば、本考案の技術内容が、更に理解できる。
図１に示したように、本考案「パソコン周辺機器を折畳み増設できるように連結したメモリーカード本体」は、メモリーカード本体１０およびパソコン周辺機器２０で、構成される。その中、該メモリーカード本体１０の片側に導通チップ１１が設けられてあり、これをパソコン増設溝中に挿入した後、パソコン信号を連結する。メモリーカード本体１０の別側に支軸１２が設けられてあり、支軸１２の面の上に若干の導通端子１３と導通チップ１１が接続している。支軸の両端に両凸点１４が有る。
また、パソコン周辺機器（例えばデジタル．カメラ、デジタルビデオカメラ、ＧＰＫＳ、ＧＰＳ、ＭＰ３または通信設備等）２０の底部には、支軸１２に対応して軸溝２１が設けられてあり、軸溝２１の両側に位置固定溝２２が設けられて、凸点１４を嵌入させている。軸溝２１の上に、スプリング・リーフ２３が布設されている。スプリング・リーフ２３は、パソコン周辺機器２０がパソコンと信号を伝送するのに使用する信号端子として使用せれる。
【０００７】
【考案の効果】
以上のように、本考案「パソコン周辺機器を折畳み増設できるように連結したメモリーカード本体」は、簡易特殊の構造を利用して、パソコン周辺機器を支軸でメモリーカード本体に対して適切な角度まで回転させて、便利に狭い空間で使用する。そして、パソコン周辺機器とメモリーカードとの間は、簡単に分解し、または組立てることができ、パソコン周辺機器を交換する機能性、進歩性を備えている。これにより、本考案の構造特徴は事実上、実用新案登録に合致している。この為、法に依り、実用新案登録を提出する。
【図面の簡単な説明】
【図１】本考案の分解の説明図である。
【図２】本考案の側面の説明図である。
【図３】本考案の反対側面の説明図である。
【符号の説明】
１０　メモリーカード本体
１１　導通チップ
１２　支軸
１３　導通端子
１４　凸点
２０　パソコン周辺機器
２１　軸溝
２２　位置固定溝
２３　スプリンク・リーフ
【図１】
0003097440.tif 000003
【図２】
0003097440.tif 000004
【図３】
0003097440.tif 000005